(57)【要約】【課題】防犯装置に使用できる発煙器の提供。【解決手段】煙排出口41を有するハウジング13、ガス発生剤が収容された第１収容室20と、発煙剤が収容された第２収容室30を有している。第１収容室20から発生したガスおよび白煙源と、第２収容室30から発生した白煙源がプレナム室40で一緒になったあと、煙排出口41から排出される。【選択図】図１
2015043143.tif 000002
【特許請求の範囲】
【請求項１】
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記発煙剤から発生した白煙源と前記ガス発生剤の燃焼により発生したガスおよび白煙源が、前記排出口から排出される、発煙器。
【請求項２】
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室を有しており、
前記第１収容室から発生したガスおよび白煙源と前記第２収容室から発生した白煙源が、前記排出口から排出される、発煙器。
【請求項３】
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器。
【請求項４】
排出口を有する平面形状が円形のハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器が前記ハウジングの中心部に配置されており、
前記第１収容室が前記点火器の半径方向外側に配置されており、
前記第２収容室が前記第１収容室の半径方向外側に配置されており、
前記プレナム室が前記第２収容室の半径方向外側に配置されており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器。
【請求項５】
排出口を有する、側面形状が長方形のハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器が前記シリンダー状のハウジングの一端部側に配置され、前記排出口が前記シリンダー状のハウジングの他端部側に配置されており、
前記第１収容室が前記点火器よりも他端部側に配置されており、
前記第２収容室が前記第１収容室よりも他端部側に配置されており、
前記プレナム室が前記第２収容室よりも他端部側に配置されており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器。
【請求項６】
作動時、前記第１収容室から発生するガスの発生持続時間が、前記第２収容室から発生する白煙源の発生持続時間よりも長くなるように調整されている、請求項２〜５のいずれか１項に記載の発煙器。
【請求項７】
前記ハウジングが、前記排出口から排出される白煙源およびガスの排出方向を制御するための制御手段を備えている、請求項１〜６のいずれか１項に記載の発煙器。
【発明の詳細な説明】
【技術分野】
【０００１】
本発明は、防犯装置に使用できる、煙を発生させる発煙器に関する。
【背景技術】
【０００２】
店舗や部屋などに不法侵入してきた侵入者に対して、逃走経路を視覚的に遮断したり、精神的に混乱を生じさせ、捕捉までの時間を確保する目的で、部屋の天井や壁などに発煙器を取り付ける場合がある。
【０００３】
特許文献１には防犯用煙幕装置の考案が記載されているが、高圧ガスが充填されたガスタンクを必須とするものであり、ガスとしては二酸化炭素が例示されている。
【０００４】
特許文献２には、点火装置と発煙剤などを備えた煙幕生成装置が記載されている。発煙剤としては、酸化亜鉛、過塩素酸アンモニウム、塩化ビニル、炭酸カルシウムからなる組成物を錠剤状に成形したものが記載されている（段落番号００２０）。
塩化ビニルは塩化ビニル樹脂と考えられるが、塩化ビニル樹脂は燃焼により有害な塩素ガスを発生することが考えられるため、安全性の点で問題がある。
【先行技術文献】
【特許文献】
【０００５】
【特許文献１】実用新案登録第２５００５９１号公報
【特許文献２】特許第３８１６８６７号公報
【発明の概要】
【発明が解決しようとする課題】
【０００６】
本発明は、濃度の高い白煙を迅速に広範囲に拡散させることができる、防犯装置用として適した発煙器を提供することを課題とする。
【課題を解決するための手段】
【０００７】
［請求項１］
本発明は、課題の解決手段として、
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記発煙剤から発生した白煙源と前記ガス発生剤の燃焼により発生したガスおよび白煙源が、前記排出口から排出される、発煙器を提供する。
【０００８】
本発明の発煙器は、白煙源を生じさせる発煙剤と、高温ガスと白煙源を生じさせるガス発生剤を組み合わせて使用している。
本発明において白煙源とは、発煙器の排出口から排出された後で白煙となるものを意味する。
本発明の発煙器は、発煙器の排出口から高温ガスと白煙源が混在した状態で排出することで、白煙を迅速且つ広範囲に拡散させることができる。
また発煙剤とガス発生剤の両方が白煙源となることで、濃い白煙を排出することができる。
白煙源は、ガス発生剤から発生されるガスによって気体として拡散され、大気中に放出されたときに冷却されることで細かな液滴となり、それが白煙となるような化合物を発煙剤として使用してもよい。
点火器は、公知のエアバッグ装置のガス発生器で使用している電気式点火器を使用することができる。またエアバッグ用ガス発生器における公知の伝火薬を併用することもできる。
【０００９】
［請求項２］
本発明は、課題の他の解決手段として、
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室を有しており、
前記第１収容室から発生したガスおよび白煙源と前記第２収容室から発生した白煙源が、前記排出口から排出される、発煙器を提供する。
【００１０】
ガス発生剤と発煙剤をそれぞれ異なる収容室に配置することで、ガス発生剤からの高音ガスと白煙源、発煙剤からの白煙源が発生されやすい状態に維持することができる。
【００１１】
［請求項３］
本発明は、課題の他の解決手段として、
排出口を有するハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器を提供する。
【００１２】
排出口に面したプレナム室を有していることで、ガス発生剤からの高温ガスと白煙源、発煙剤からの白煙源が混在した状態で排出され易くなる。なお、ガス排出通路において高温のガスが、第２収容室に配置された発煙剤に接触するようにしてもよい。
【００１３】
［請求項４］
本発明は、課題の他の解決手段として、
排出口を有する平面形状が円形のハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器が前記ハウジングの中心部に配置されており、
前記第１収容室が前記点火器の半径方向外側に配置されており、
前記第２収容室が前記第１収容室の半径方向外側に配置されており、
前記プレナム室が前記第２収容室の半径方向外側に配置されており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器を提供する。
【００１４】
排出口に面したプレナム室を有していることで、ガス発生剤からの高温ガスと白煙源、発煙剤からの白煙源が混在した状態で排出され易くなる。ガス排出通路において高温のガスが、第２収容室に配置された発煙剤に接触するようにしてもよい。
また平面形状が円形のハウジングを使用することで、排出口を放射状に形成することができるようになるため、より広範囲に白煙を拡散できるようになる。
【００１５】
［請求項５］
本発明は、課題の他の解決手段として、
排出口を有する、側面形状が長方形のハウジングと、前記ハウジング内部に点火器と、熱により白煙源を生じさせる発煙剤と、燃料と酸化剤を含み、高温ガスと白煙源を生じさせるガス発生剤が収容されている発煙器であって、
前記ガス発生剤が収容された第１収容室と、
前記発煙剤が収容された第２収容室と、
前記排出口に面した、煙およびガス排出空間となるプレナム室を有しており、
前記点火器が前記シリンダー状のハウジングの一端部側に配置され、前記排出口が前記シリンダー状のハウジングの他端部側に配置されており、
前記第１収容室が前記点火器よりも他端部側に配置されており、
前記第２収容室が前記第１収容室よりも他端部側に配置されており、
前記プレナム室が前記第２収容室よりも他端部側に配置されており、
前記点火器と前記第１収容室が点火孔で接続され、前記第１収容室と前記プレナム室がガス排出通路で接続されており、
前記点火器と前記第２収容室が点火通路で接続され、前記第２収容室と前記プレナム室が煙排出孔で接続されており、
前記第１収容室から発生したガスおよび白煙源が前記ガス排出通路を通ってプレナム室に入り、前記第２収容室から発生した白煙源が煙排出孔を通ってプレナム室に入り、前記プレナム室に入ったガスと白煙源が前記排出口から排出される、発煙器を提供する。
【００１６】
排出口に面したプレナム室を有していることで、ガス発生剤からの高温ガスと白煙源、発煙剤からの白煙源が混在した状態で排出され易くなる。ガス排出通路において高温のガスが、第２収容室に配置された発煙剤に接触するようにしてもよい。
また側面形状が長方形のハウジングを使用することで、煙排出口に指向性を持たせることができるようになるため、特定方向に白煙を広範囲に噴出拡散できるようになる。
【００１７】
［請求項６］
本発明は、課題の他の解決手段として、
作動時、前記第１収容室から発生するガスの発生持続時間が、前記第２収容室から発生する白煙源の発生持続時間よりも長くなるように調整されている、請求項２〜５６のいずれか１項に記載の発煙器を提供する。
【００１８】
このように発生持続時間を調整することで、発生した白煙源の全量を排出させることができる。
【００１９】
［請求項７］
本発明は、課題の他の解決手段として、
前記ハウジングが、前記排出口から排出される白煙源およびガスの排出方向を制御するための制御手段を備えている、請求項１〜６のいずれか１項に記載の発煙器を提供する。
【００２０】
発煙器を備えた防犯装置を室内に設置するとき、部屋の形状などに応じて煙の排出方向を調整できるようすることで、防犯効果が高められる。
【発明の効果】
【００２１】
本発明の発煙器は、濃度の高い白煙を迅速に広範囲に拡散させることができる。
【図面の簡単な説明】
【００２２】
【図１】図２の発煙器のＩ−Ｉ線間の断面図。
【図２】図１の発煙器の斜視図。
【図３】図１の発煙器の別実施形態の使用説明図。但し、電気式点火器の位置が確認できるようにハウジングの一部を切り取って示している。
【図４】他の発煙器の軸方向断面図。
【図５】図４の発煙器の斜視図。
【発明を実施するための形態】
【００２３】
（１）図１〜図３の発煙器
発煙器１０は、平面形状が円形のハウジング１３を有している。
ハウジング１３は、カップ状の上側ハウジング１１のフランジ部１１ａとカップ状の下側ハウジング１２のフランジ部１２ａが一体化されたものである。
下側ハウジング１２の周面には、周方向に等間隔に複数の排出口４１が形成されている。排出口４１は、発煙器１０の外部に煙やガスを排出するための排出口（外部排出口）である。
ハウジング１３は、アルミニウム、ステンレスなどの金属製のものである。
【００２４】
点火器収容室１６は、筒状の点火器収容室ハウジング１７で囲まれたものである。
筒状の点火器収容室ハウジング１７は、一端側開口部が上側ハウジング１１の底面に固定され、他端側開口部が下側ハウジング１２の底面に当接されている。なお、他端側開口部は蓋部で閉塞された状態で、下側ハウジング１２の底面との間に間隔が形成されるようにしたものでもよい。
点火器収容室ハウジング１７（点火器収容室１６）の周面には、複数の点火孔１８が形成されている。
点火器収容室１６の上側ハウジング１１の底面には、電気式点火器１５が取り付けられている。
電気式点火器１５は、例えば公知のエアバッグ装置のガス発生器で使用されているものを使用することができる。電気式点火器１５は、点火薬としてボロン硝石などの黒色火薬や、特開２００５−１９８６７号公報に記載された比較的燃焼温度の高いガス発生剤を併用することもできる。
【００２５】
点火器収容室１６の半径方向外側には、第１収容室２０が周方向に配置されている。
第１収容室２０は、半径方向内側が点火器収容室ハウジング１７で囲まれ、半径方向外側が筒状の第１収容室ハウジング２１で囲まれている。
第１収容室ハウジング２１は、一端開口部側が下側ハウジング１２の底面に当接され、他端開口部側が上側ハウジング１１の底面に当接されている。
第１収容室２０は、１つでもよいし、複数でもよい。図１では、６室の第１収容室２０が周方向に配置されている。
６室の第１収容室２０は、それぞれ点火通路３２で分離されている。点火通路３２は、下側ハウジング１２の底面から上側ハウジング１１の底面までに配置された隔壁により形成された狭い幅の板状空間からなるものである。点火通路３２を通る燃焼生成物は、第１収容室２０内のガス発生剤と接触することはない。
点火器収容室１６と６室の第１収容室２０は、それぞれ点火孔１８で接続されている。
【００２６】
第１収容室２０にはガス発生剤が収容されている。
ガス発生剤は、電気式点火器１５の作動により発生した燃焼生成物（火炎や高温ガスなど）により着火燃焼して瞬間的に高温ガスを発生するものであり、同時に白煙も生じさせる。
ガス発生剤は、燃料、酸化剤、必要に応じてバインダーを含むものであり、例えば公知のエアバッグ装置のガス発生器で使用されているガス発生剤を使用することができる。
燃料は、ニトロセルロース、ニトログアニジン、硝酸グアニジン、ジシアンジアミド、メラミン、メラミンシアヌレート、5-アミノテトラゾール、5,5'-ビステトラゾール2アンモニウム塩から選ばれるものが好ましい。
酸化剤は、塩素酸カリウム、塩素酸ナトリウム、過塩素酸ストロンチウム、過塩素酸マグネシウム、過塩素酸アンモニウム、過塩素酸カリウム、過塩素酸ナトリウム、硝酸ストロンチウム、硝酸カリウム、硝酸ナトリウムから選ばれるものが好ましい。
バインダーは、ガス発生剤を所望形状に成形するときに使用する成分であり、グアガム、カルボキシルメチルセルロースナトリウム（ＣＭＣＮａ）、エチルセルロース、ポリビニルピロリドン、ポリアクリルアミドから選ばれるものが好ましい。
酸化剤は、燃料を瞬時に燃焼させて大量のガス（窒素ガスや二酸化炭素を含むガス）を発生させると共に、酸化剤自体が変化することで白煙源を生じさせる。
例えば、塩素酸カリウムや過塩素酸カリウムは、熱分解で塩化カリウムの粉末となって白煙源となり、硝酸カリウムは、酸化カリウム、炭酸カリウム（ガス中の二酸化炭素と反応する）などの粉末となって白煙源となる。
【００２７】
燃料は10〜80質量％が好ましく、30〜60質量％がより好ましく、
酸化剤は20〜90質量％が好ましく、40〜70質量％がより好ましい。
バインダーは、燃料と酸化剤の合計100質量部に対して、0.5〜50質量部が好ましく、5〜30質量部がより好ましい。
【００２８】
第１収容室２０の半径方向外側には、第２収容室３０が周方向に配置されている。
第２収容室３０は、半径方向内側が筒状の第１収容室ハウジング２１で囲まれ、半径方向外側が筒状の第２収容室ハウジング３１で囲まれている。
第２収容室ハウジング３１は、一端開口部側が下側ハウジング１２の底面に当接され、他端開口部側が上側ハウジング１１の底面に当接されている。
第２収容室３０は、１つでもよいし、複数でもよい。図１では、６室の第２収容室３０が周方向に配置されている。
６室の第２収容室３０は、それぞれガス排出通路２２で分離されている。ガス排出通路２２は、下側ハウジング１２の底面から上側ハウジング１１の底面までに配置された隔壁により形成された狭い幅の板状空間からなるものである。なお、前記隔壁は、孔のないものや多孔を有するものにすることができる。前記隔壁が多孔を有するものであるときは、ガス排出通路２２と第２収容室３０は連通されているため、作動時において、ガス排出通路２２を通る高温ガスおよび白煙源は第２収容室３０内の発煙剤と接触することになる。
点火器収容室１６と６室の第２収容室３０は、それぞれ点火通路３２で接続されている。
【００２９】
第２収容室３０には、発煙剤が収容されている。
発煙剤は、電気式点火器１５の作動により発生した燃焼生成物（火炎や高温ガスなど）や、ガス発生剤からの高温ガスによる熱的影響を受けて白煙を生じさせるものである。
発煙剤としては、
（A-1）成分：作動時における熱により気化してガス（白煙源）となり、前記ガスが冷却されて液滴となって白煙となるもの、
（A-2）成分：作動時における熱（空気）により反応して、酸化物（酸化物粉末）と水（水蒸気）（白煙源）に変化した後、酸化物粉末は飛散することでそのまま白煙となり、水蒸気は冷却されて液滴となって白煙となるもの、
の一方または両方を使用することができる。
【００３０】
(A-1)成分は、気化した状態で発煙器から排出され、大気中に放出されたときに冷却され、微小な液滴を発生させるようなものであれば特に制限されるものではないが、パラフィンワックス、マイクロクリスタリンワックス、ポリエチレングリコールから選ばれるものが好ましい。
（A-2）成分は、熱分解により一部が白煙源となる酸化物になり、残りが水蒸気として大気中に放出されるが、すぐに冷却されて液滴となり、これが白煙となるものであれば特に制限されるものではないが、金属炭酸塩（水和物）、金属水素化物、金属水酸化物から選ばれるものが好ましい。
（A-1）成分と（A-2）成分から選ばれるものを組み合わせると、異なる白煙源を発生させることができるため、白煙の濃度や噴出量を高めることができるので好ましい。
【００３１】
第２収容室３０の発煙剤と第１収容室２０のガス発生剤の含有割合は、発煙剤は10〜80質量％が好ましく、30〜60質量％がより好ましく、ガス発生剤は20〜90質量％が好ましく、40〜70質量％がより好ましい。
【００３２】
第２収容室３０の半径方向外側にはプレナム室４０が配置されている。
プレナム室４０は、半径方向内側が筒状の第２収容室ハウジング３１で囲まれ、半径方向外側がハウジング１３の周壁面で囲まれている。
プレナム室４０は下側ハウジング１２の排出口４１に面している。
プレナム室４０は、第１収容室２０で発生したガスおよび白煙源と、第２収容室３０で発生した白煙源が流入した後、一緒に排出口４１から排出させるように機能するものである。
プレナム室４０と第１収容室２０はガス排出路２２で接続されており、ガス排出路２２は、ハウジング１３の周壁面（下側ハウジング１２の周壁面）に正対しており、排出口４１には正対していない。
プレナム室４０と第２収容室３０は煙排出孔３３で接続されており、煙排出孔３３は、ハウジング１３の周壁面（下側ハウジング１２の周壁面）に正対しており、排出口４１には正対していない。
【００３３】
第１収容室２０に収容されているガス発生剤と第２収容室３０に収容されている発煙剤は、作動時において、第１収容室２０のガス発生剤から発生するガスの発生持続時間が、第２収容室３０の発煙剤から発生する煙の発生持続時間よりも長くなるように調整されていることが好ましい。
このような関係に調整することで、第２収容室３０の発煙剤から発生した白煙源の全量が煙排出口４１から排出されるようになる。
【００３４】
発煙器１０は、図３に示すように、下側ハウジング１２の外周面において、排出口４１から排出される煙およびガスの排出方向を制御するための制御手段５０を取り付けることができる。
図３では、発煙器１０を天井に取り付けたときに、床面方向に白煙（白煙源）およびガスが排出されるようになっている。
【００３５】
本発明の発煙器１０を防犯装置に使用したときの作動状態を説明する。
防犯装置は、発煙器、センサーを備えたものであり、図３に示すように室内の天井６０（または壁など）に取り付けられて使用される。
なお、天井６０には、発煙器１０を着脱自在に取り付けるためのアダプター６５を取り付けることができる。このアダプター６５には、電気式点火器１５と電源およびセンサーを接続するための電気的配線が施されている。
【００３６】
室内に不法侵入者が入ったとき、センサーが感知することで電気式点火器１５を作動させて燃焼生成物（火炎や高温ガスなどが混在したもの）を発生させる。
燃焼生成物は、点火孔１８から第１収容室２０に入り、内部に充填されているガス発生剤を着火燃焼させる。
燃料は、酸化剤の作用により燃焼して、窒素ガス、二酸化炭素ガスなどを含む高温ガスを瞬時に発生させる。
酸化剤は、燃料を燃焼させると共に、酸化剤自体は、塩化ナトリウム、塩化カリウム、塩化マグネシウムなどに変化して、微細な粉末のまま白煙源となる。
第１収容室２０内で発生した高温ガスと白煙源となる微細な粉末は、ガス排出通路２２を通ってプレナム室４０に流入する。このとき、ガス排出通路２２は排出口４１と正対していないため、高温ガスと白煙源となる微細な粉末はプレナム室４０を周方向に移動して、排出口４１から排出される。
【００３７】
燃焼生成物は、点火通路３２から第２収容室３０に入り、内部に充填されている発煙剤を加熱する。
発煙剤として上記の（A-1）成分と（A-2）成分を組み合わせて使用したとき、（A-1）成分の内、パラフィンワックス、マイクロクリスタリンワックス、ポリエチレングリコールは、熱によってガスに変化し、（A-2）成分の金属炭酸塩（水和物）、金属水素化物、金属水酸化物は、燃焼により酸化物粉末と水蒸気に変化する。
第２収容室３０内で発生したガス、酸化物粉末、水蒸気は、高温の状態で煙排出孔３３から環状のプレナム室４０に流入する。このとき、煙排出孔３３は排出口４１と正対していないため、ガス、酸化物粉末、水蒸気はプレナム室４０を周方向に移動して、排出口４１から排出される。
なお、ガス排出通路２２が第２収容室３０と連通されているときは、ガス排出通路２２を通る高温ガスおよび白煙源は第２収容室３０内の発煙剤と接触するため、前記接触により第２収容室３０内で発生したガス、酸化物粉末、水蒸気の一部は、ガス排出通路２２を通ってプレナム室４０に入る。
【００３８】
プレナム室４０に入ったガス発生剤由来の高温ガスと白煙源となる微細な粉末と、発煙剤由来のガス、酸化物粉末、水蒸気は、一緒になって排出口４１から外部に排出される。
このとき、微細な粉末と酸化物粉末は粉状のまま高温ガスの作用で勢いよく噴出されて白煙を生じ、ガスおよび水蒸気もそのまま高温ガスの作用で勢いよく噴出された後、室内の空気に触れることで冷却され、白煙を生じる。
本発明の発煙器１０は、異なる白煙源に由来する白煙が高温ガスの作用により勢いよく噴出されることから、白煙が濃くなり、室内に均一にかつ迅速に拡散される。
そして、このように防犯装置から室内に白煙が噴出され拡散されることで、侵入者に対して威嚇が行われ、侵入者の視界が妨げられ、行動が抑止または遅延されることから、犯罪行為が抑止乃至は防止される。
なお、本発明の発煙器１０は、必要に応じて内部の発煙剤およびガス発生剤をハウジング内部で気密に維持する手段を用いてもよい。例えば、排出口４１を薄いアルミテープなどで閉塞したり、ガス発生剤や発煙剤を薄いアルミニウムの容器に収容してもよい。
【００３９】
（２）図４、図５の発煙器
発煙器１００は、円柱形状（側面形状が長方形）ハウジング１１３を有している。
ハウジング１１３は、カップ状（深いカップ状）の上側ハウジング１１１の内側にカップ状（浅いカップ状）の下側ハウジング１１２が嵌め込まれることで一体化されたものである。
下側ハウジング１１２の底面には、複数の排出口（外部排出口）１４１が分散して形成されている。
ハウジング１１３は、アルミニウム、ステンレスなどの金属製のものである。
【００４０】
上側ハウジング１１１の底面中心部には、電気式点火器１１５が取り付けられており、内側（点火部側）は点火器収容室１１６に位置している。
電気式点火器１１５は、例えば公知のエアバッグ装置のガス発生器で使用されているものを使用することができる。電気式点火器１１５は、点火薬としてボロン硝石などの黒色火薬や、特開２００５−１９８６７号公報に記載された比較的燃焼温度の高いガス発生剤を併用することもできる。
【００４１】
電気式点火器１１５（点火器収容室１１６）の軸方向他端側（排出口１４１側）には、第１収容室１２０が配置されている。
第１収容室１２０は、点火手段収容室１１６側には第１隔壁１１７が配置され、第２収容室１３０側には第２隔壁１２１が配置されている。
第１収容室１２０は、第１隔壁１１７、円板形状の収容室１２０、第２隔壁１２１を貫通して複数の点火通路１３２が形成されている。
点火器収容室１１６と第１収容室１２０は、第１隔壁１１７に形成された点火孔１１８で接続されている。
第１収容室１２０には、発煙器１０と同じガス発生剤が収容されている。
【００４２】
第１収容室１２０の軸方向他端側（排出口１４１側）には、第２収容室１３０が配置されている。
第２収容室１３０は、第１収容室１２０側には第２隔壁１２１が配置され、プレナム室１４０側には第３隔壁１３１が配置されている。
第２収容室１３０は、第２隔壁１２１、円板形状の収容室１３０、第３隔壁１３１を貫通して複数のガス排出通路１２２が形成されている。
第２収容室１３０には、発煙器１０と同じ発煙剤が収容されている。
ガス排出通路１２２は、多孔を有するものから形成されていてもよく、そのときはガス排出通路１２２と第２収容室１３０は連通されていることになる。ガス排出通路１２２と第２収容室１３０が連通されているものであるときは、作動時において、ガス排出通路１２２を通る高温ガスおよび白煙源は第２収容室１３０内の発煙剤と接触することになる。
【００４３】
第２収容室１３０の軸方向他端側（排出口１４１側）には、円板状空間からなるプレナム室１４０が配置されている。
プレナム室１４０は下側ハウジング１１２の排出口１４１に面している。
プレナム室１４０は、第１収容室１２０で発生したガスと第２収容室１３０で発生した白煙が流入した後、一緒になって排出口１４１から排出させるように機能するものである。
プレナム室１４０と第１収容室１２０は、ガス排出通路１２２で接続されているが、ガス排出通路１２２は排出口１４１には正対していない。
プレナム室１４０と第２収容室１３０は、第３隔壁１３１に形成された煙排出孔１３３で接続されている。
煙排出孔１３３は排出口１４１には正対していない。
【００４４】
第１収容室１２０に収容されているガス発生剤と第２収容室１３０に収容されている発煙剤は、作動時において、第１収容室１２０のガス発生剤から発生するガスの発生持続時間が、第２収容室１３０の発煙剤から発生する煙の発生持続時間よりも長くなるように調整されていることが好ましい。
このような関係に調整することで、第２収容室１３０の発煙剤から発生したガスの全量が排出口１４１から排出されるようになる。
【００４５】
本発明の発煙器１００を防犯装置に使用したときの作動状態を説明する。
防犯装置は、発煙器、センサーを備えたものであり、室内の天井や壁に取り付けられて使用される。
【００４６】
室内に不法侵入者が入ったとき、センサーが感知することで電気式点火器１１５を作動させて燃焼生成物（火炎や高温ガスなどが混在したもの）を発生させる。
燃焼生成物は、点火孔１１８から第１収容室１２０に入り、内部に充填されているガス発生剤を着火燃焼させる。
燃料は、酸化剤の作用により燃焼して、窒素ガス、二酸化炭素ガスなどを含む高温ガスを瞬時に発生させる。
酸化剤は、燃料を燃焼させると共に、酸化剤自体は、塩化ナトリウム、塩化カリウム、塩化マグネシウムなどに変化して、微細な粉末のまま白煙源となる。
第１収容室１２０内で発生した高温ガスと白煙源となる微細な粉末は、ガス排出通路１２２を通ってプレナム室１４０に流入する。
【００４７】
燃焼生成物は、点火通路１３２から第２収容室１３０に入り、内部に充填されている発煙剤を加熱する。
発煙剤の成分の内、パラフィンワックス、マイクロクリスタリンワックス、ポリエチレングリコールは、熱によってガスに変化する。
発煙剤の成分の内、金属炭酸塩（水和物）、金属水素化物、金属水酸化物は、燃焼により酸化物粉末と水蒸気に変化する。
第２収容室１３０内で発生したガス、酸化物粉末、水蒸気は、高温の状態で煙排出孔１３３からプレナム室１４０に流入する。
なお、ガス排出通路１２２が第２収容室１３０と連通されているときは、ガス排出通路１２２を通る高温ガスおよび白煙源は第２収容室１３０内の発煙剤と接触するため、前記接触により第２収容室１３０内で発生したガス、酸化物粉末、水蒸気の一部は、ガス排出通路１２２を通ってプレナム室１４０に入る。
【００４８】
プレナム室１４０に入ったガス発生剤由来の高温ガスと白煙源となる微細な粉末と、発煙剤由来の液滴、酸化物粉末、水蒸気は、ガス排出通路１２２および煙排出孔１３３が排出口４１と正対していないため、プレナム室１４０を移動する過程で混合状態になった後、排出口１４１から排出される。
このとき、微細な粉末と酸化物粉末は粉状のまま高温ガスの作用で勢いよく噴出されて白煙を生じ、ガスおよび水蒸気もそのまま高温ガスの作用で勢いよく噴出された後、室内の空気に触れることで冷却され、白煙を生じる。
本発明の発煙器１００は、異なる白煙源に由来する白煙が高温ガスの作用により勢いよく噴出されることから、白煙が濃くなり、室内に均一にかつ迅速に拡散される。
そして、このように防犯装置から室内に白煙が噴出され拡散されることで、侵入者に対して威嚇が行われ、侵入者の視界が妨げられ、行動が抑止または遅延されることから、犯罪行為が抑止乃至は防止される。
本発明の発煙器１００も図１のガス発生器と同様な手段を用いて、内部の発煙剤およびガス発生剤をハウジング内部で気密に維持することができる。
【符号の説明】
【００４９】
１０  発煙器
１１  上側ハウジング
１２  下側ハウジング
１３  ハウジング
１５  電気式点火器
１６  点火器収容室
１７  点火器収容室ハウジング
１８  第１点火孔
２０  第１収容室
２２  第１ガス排出路
３０  第２収容室
３３  第２煙排出孔
４０  プレナム室
４１  排出口
【図１】
2015043143.tif 000003
【図２】
2015043143.tif 000004
【図３】
2015043143.tif 000005
【図４】
2015043143.tif 000006
【図５】
2015043143.tif 000007